(57)【要約】      （修正有）【課題】有機ＥＬ表示装置の表示面上に光取り出し層を配置した場合に表示ボケが生じるのを防止する。【解決手段】有機ＥＬ素子４０と、その前面側に配置された光透過層１００と、その前面上に配置され、光透過層１００に入射した有機ＥＬ素子４０からの光を光透過層１００の前面側へと取り出す光取り出し層９０とを具備し、光取り出し層９０はプリズムシートであり、光取り出し層９０に入射した光の平均屈折角θpと光取り出し層９０の平均屈折率ｎpとを用いて下記等式（１）から算出される角度θと、有機ＥＬ素子４０のうち発光色が互いに等しいものの間の最短距離Ｐと、光透過層１００の前面から有機ＥＬ素子４０までの距離ｄとは、下記不等式（２）に示す関係を満足している。2006100139.tif 000011【選択図】なし【特許請求の範囲】
【請求項１】
二次元的に配列した複数の有機ＥＬ素子と、
前記複数の有機ＥＬ素子の前面側に配置された光透過層と、
前記光透過層の前面上に配置され、前記光透過層に入射した有機ＥＬ素子からの光を前記光透過層の前面側へと取り出す光取り出し層とを具備し、
前記光取り出し層はプリズムシートであり、
前記光取り出し層に入射した光の平均屈折角θpと前記光取り出し層の平均屈折率ｎpとを用いて下記等式（１）から算出される角度θと、前記複数の有機ＥＬ素子のうち発光色が互いに等しいものの間の最短距離Ｐと、前記光透過層の前面から前記有機ＥＬ素子までの距離ｄとは、下記不等式（２）に示す関係を満足していることを特徴とする有機ＥＬ表示装置。
【数１】
2006100139.tif 000007
【請求項２】
二次元的に配列した複数の有機ＥＬ素子と、
前記複数の有機ＥＬ素子の前面側に配置された光透過層と、
前記光透過層の背面側に配置されると共に前記有機ＥＬ素子と隣接し、前記有機ＥＬ素子の内部で繰返し反射干渉しながら膜面方向に伝播している光を前記有機ＥＬ素子の前面側へと取り出す第１光取り出し層と、
前記光透過層の前面上に配置され、前記光透過層に入射した有機ＥＬ素子からの光を前記光透過層の前面側へと取り出す第２光取り出し層とを具備し、
前記第２光取り出し層はプリズムシートであり、
前記第２光取り出し層に入射した光の平均屈折角θpと前記第２光取り出し層の平均屈折率ｎpとを用いて下記等式（１）から算出される角度θと、前記複数の有機ＥＬ素子のうち発光色が互いに等しいものの間の最短距離Ｐと、前記光透過層の前面から前記有機ＥＬ素子までの距離ｄとは、下記不等式（２）に示す関係を満足していることを特徴とする有機ＥＬ表示装置。
【数２】
2006100139.tif 000008
【請求項３】
二次元的に配列した複数の有機ＥＬ素子と、
前記複数の有機ＥＬ素子の前面側に配置された光透過層と、
前記光透過層の前面上に配置され、前記光透過層に入射した有機ＥＬ素子からの光を前記光透過層の前面側へと取り出す光取り出し層とを具備し、
前記光取り出し層は光散乱層であり、
前記光取り出し層に入射した光の平均屈折角θpと前記光取り出し層の平均屈折率ｎpとを用いて下記等式（３）から算出される角度θと、前記複数の有機ＥＬ素子のうち発光色が互いに等しいものの間の最短距離Ｐと、前記光透過層の前面から前記有機ＥＬ素子までの距離ｄとは、下記不等式（２）に示す関係を満足していることを特徴とする有機ＥＬ表示装置。
【数３】
2006100139.tif 000009
【請求項４】
二次元的に配列した複数の有機ＥＬ素子と、
前記複数の有機ＥＬ素子の前面側に配置された光透過層と、
前記光透過層の背面側に配置されると共に前記有機ＥＬ素子と隣接し、前記有機ＥＬ素子の内部で繰返し反射干渉しながら膜面方向に伝播している光を前記有機ＥＬ素子の前面側へと取り出す第１光取り出し層と、
前記光透過層の前面上に配置され、前記光透過層に入射した有機ＥＬ素子からの光を前記光透過層の前面側へと取り出す第２光取り出し層とを具備し、
前記第２光取り出し層は光散乱層であり、
前記第２光取り出し層に入射した光の平均屈折角θpと前記第２光取り出し層の平均屈折率ｎpとを用いて下記等式（３）から算出される角度θと、前記複数の有機ＥＬ素子のうち発光色が互いに等しいものの間の最短距離Ｐと、前記光透過層の前面から前記有機ＥＬ素子までの距離ｄとは、下記不等式（２）に示す関係を満足していることを特徴とする有機ＥＬ表示装置。
【数４】
2006100139.tif 000010
【請求項５】
前記光透過層はガラス基板を含んだことを特徴とする請求項１乃至４の何れか１項に記載の有機ＥＬ表示装置。
【請求項６】
前記光透過層は、無機多層膜からなることを特徴とする請求項１乃至４の何れか１項に記載の有機ＥＬ表示装置。
【請求項７】
前記光透過層は、無機物層と有機物層との多層膜からなることを特徴とする請求項１乃至４の何れか１項に記載の有機ＥＬ表示装置。
【発明の詳細な説明】
【技術分野】
【０００１】
本発明は、有機ＥＬ（エレクトロルミネッセンス）表示装置に関する。
【背景技術】
【０００２】
有機ＥＬ表示装置は自己発光表示装置であるため、視野角が広く、応答速度が速い。また、バックライトが不要であるため、薄型軽量化が可能である。これらの理由から、近年、有機ＥＬ表示装置は、液晶表示装置に代わる表示装置として注目されている。
【０００３】
有機ＥＬ表示装置の主要部である有機ＥＬ素子は、光透過性の前面電極と、これと対向した光反射性又は光透過性の背面電極と、それらの間に介在するとともに発光層を含んだ有機物層とで構成されている。有機ＥＬ素子は、有機物層に電気を流すことにより発光する電荷注入型の自発光素子である。
【０００４】
ところで、有機ＥＬ素子の輝度は、これに流す電流の大きさに応じて増加する。しかしながら、電流密度を高めると、消費電力が大きくなるのに加え、有機ＥＬ素子の寿命が著しく短くなる。したがって、高輝度、低消費電力、長寿命を同時に実現するには、有機ＥＬ素子が放出する光を有機ＥＬ表示装置の外部へとより効率的に取り出すこと，すなわち光の取り出し効率を向上させること，が重要である。
【０００５】
本発明者は、光の取り出し効率は、例えばプリズムシートなどの光取り出し層を表示面に貼り付けることによって、向上させることができると考えている。しかしながら、本発明者は、こうすると、表示ボケを生じる可能性があることを見出している。
【発明の開示】
【発明が解決しようとする課題】
【０００６】
本発明の目的は、有機ＥＬ表示装置の表示面上に光取り出し層を配置した場合に表示ボケが生じるのを防止することにある。
【課題を解決するための手段】
【０００７】
本発明の第１側面によると、二次元的に配列した複数の有機ＥＬ素子と、前記複数の有機ＥＬ素子の前面側に配置された光透過層と、前記光透過層の前面上に配置され、前記光透過層に入射した有機ＥＬ素子からの光を前記光透過層の前面側へと取り出す光取り出し層とを具備し、前記光取り出し層はプリズムシートであり、前記光取り出し層に入射した光の平均屈折角θpと前記光取り出し層の平均屈折率ｎpとを用いて下記等式（１）から算出される角度θと、前記複数の有機ＥＬ素子のうち発光色が互いに等しいものの間の最短距離Ｐと、前記光透過層の前面から前記有機ＥＬ素子までの距離ｄとは、下記不等式（２）に示す関係を満足していることを特徴とする有機ＥＬ表示装置が提供される。
【０００８】
本発明の第２側面によると、二次元的に配列した複数の有機ＥＬ素子と、前記複数の有機ＥＬ素子の前面側に配置された光透過層と、前記光透過層の背面側に配置されると共に前記有機ＥＬ素子と隣接し、前記有機ＥＬ素子の内部で繰返し反射干渉しながら膜面方向に伝播している光を前記有機ＥＬ素子の前面側へと取り出す第１光取り出し層と、前記光透過層の前面上に配置され、前記光透過層に入射した有機ＥＬ素子からの光を前記光透過層の前面側へと取り出す第２光取り出し層とを具備し、前記第２光取り出し層はプリズムシートであり、前記第２光取り出し層に入射した光の平均屈折角θpと前記第２光取り出し層の平均屈折率ｎpとを用いて下記等式（１）から算出される角度θと、前記複数の有機ＥＬ素子のうち発光色が互いに等しいものの間の最短距離Ｐと、前記光透過層の前面から前記有機ＥＬ素子までの距離ｄとは、下記不等式（２）に示す関係を満足していることを特徴とする有機ＥＬ表示装置が提供される。
【数５】
2006100139.tif 000002
【０００９】
本発明の第３側面によると、二次元的に配列した複数の有機ＥＬ素子と、前記複数の有機ＥＬ素子の前面側に配置された光透過層と、前記光透過層の前面上に配置され、前記光透過層に入射した有機ＥＬ素子からの光を前記光透過層の前面側へと取り出す光取り出し層とを具備し、前記光取り出し層は光散乱層であり、前記光取り出し層に入射した光の平均屈折角θpと前記光取り出し層の平均屈折率ｎpとを用いて下記等式（３）から算出される角度θと、前記複数の有機ＥＬ素子のうち発光色が互いに等しいものの間の最短距離Ｐと、前記光透過層の前面から前記有機ＥＬ素子までの距離ｄとは、下記不等式（２）に示す関係を満足していることを特徴とする有機ＥＬ表示装置が提供される。
【００１０】
本発明の第４側面によると、二次元的に配列した複数の有機ＥＬ素子と、前記複数の有機ＥＬ素子の前面側に配置された光透過層と、前記光透過層の背面側に配置されると共に前記有機ＥＬ素子と隣接し、前記有機ＥＬ素子の内部で繰返し反射干渉しながら膜面方向に伝播している光を前記有機ＥＬ素子の前面側へと取り出す第１光取り出し層と、前記光透過層の前面上に配置され、前記光透過層に入射した有機ＥＬ素子からの光を前記光透過層の前面側へと取り出す第２光取り出し層とを具備し、前記第２光取り出し層は光散乱層であり、前記第２光取り出し層に入射した光の平均屈折角θpと前記第２光取り出し層の平均屈折率ｎpとを用いて下記等式（３）から算出される角度θと、前記複数の有機ＥＬ素子のうち発光色が互いに等しいものの間の最短距離Ｐと、前記光透過層の前面から前記有機ＥＬ素子までの距離ｄとは、下記不等式（２）に示す関係を満足していることを特徴とする有機ＥＬ表示装置が提供される。
【数６】
2006100139.tif 000003
【発明の効果】
【００１１】
本発明によると、有機ＥＬ表示装置の表示面上に光取り出し層を配置した場合に表示ボケが生じるのを防止することができる。
【発明を実施するための最良の形態】
【００１２】
以下、本発明の態様について、図面を参照しながら詳細に説明する。なお、各図において、同様又は類似した機能を発揮する構成要素には同一の参照符号を付し、重複する説明は省略する。
【００１３】
図１は、本発明の第１態様に係る有機ＥＬ表示装置を概略的に示す断面図である。図１では、有機ＥＬ表示装置１を、その表示面，すなわち前面又は光出射面，が下方を向き、背面が上方を向くように描いている。
【００１４】
図１に示す有機ＥＬ表示装置１は、アクティブマトリクス型駆動方式を採用した下面発光型の有機ＥＬ表示装置である。この有機ＥＬ表示装置１は、例えば、ガラス基板などの絶縁基板１０を含んでいる。本態様では、絶縁基板１０は光透過層である。
【００１５】
絶縁基板１０の背面側の主面上では、複数の画素がマトリクス状に配列している。各画素は、画素回路と有機ＥＬ素子４０とを含んでいる。
【００１６】
画素回路は、例えば、一対の電源端子間で有機ＥＬ素子４０と直列に接続された駆動制御素子（図示せず）及び出力制御スイッチ２０と、画素スイッチ（図示せず）とを含んでいる。駆動制御素子は、その制御端子が画素スイッチを介して映像信号線（図示せず）に接続されており、映像信号線から供給される映像信号に対応した大きさの電流を出力制御スイッチ２０を介して有機ＥＬ素子４０へ出力する。また、画素スイッチの制御端子は走査信号線（図示せず）に接続されており、走査信号線から供給される走査信号によりスイッチング動作が制御される。なお、これら画素には、他の構造を採用することも可能である。
【００１７】
基板１０上には、アンダーコート層１２として、例えば、ＳｉＮx層とＳｉＯx層とが順次積層されている。アンダーコート層１２上には、例えばチャネル及びソース・ドレインが形成されたポリシリコン層である半導体層１３、例えばＴＥＯＳ（TetraEthyl OrthoSilicate）などを用いて形成され得るゲート絶縁膜１４、及び例えばＭｏＷなどからなるゲート電極１５が順次積層されており、それらはトップゲート型の薄膜トランジスタ（以下、ＴＦＴという）を構成している。この例では、これらＴＦＴは、画素スイッチ２０、出力制御スイッチ、駆動制御素子のＴＦＴとして利用している。また、ゲート絶縁膜１４上には、ゲート電極１５と同一の工程で形成可能な走査信号線（図示せず）がさらに配置されている。
【００１８】
ゲート絶縁膜１４及びゲート電極１５は、例えばプラズマＣＶＤ法などにより成膜されたＳｉＯxなどからなる層間絶縁膜１７で被覆されている。層間絶縁膜１７上にはソース・ドレイン電極２１が配置されており、それらは、例えばＳｉＮxなどからなるパッシベーション膜１８で埋め込まれている。ソース・ドレイン電極２１は、例えば、Ｍｏ／Ａｌ／Ｍｏの三層構造を有しており、層間絶縁膜１７に設けられたコンタクトホールを介してＴＦＴのソース・ドレインに電気的に接続されている。また、層間絶縁膜１７上には、ソース・ドレイン電極２１と同一の工程で形成可能な映像信号線（図示せず）がさらに配置されている。
【００１９】
パッシベーション膜１８上には、平坦化層１９が形成されている。平坦化層１９の材料としては、例えば、硬質樹脂を使用することができる。
【００２０】
平坦化層１９は、第１光取り出し層３０で被覆されている。ここでは、一例として、光透過性の第１部分３１と、この中で分散した複数の第２部分３２とで、光取り出し層３０を構成している。第２部分３２は、例えば、光透過性であり、第１部分とは屈折率が異なっている。
【００２１】
光取り出し層３０をその膜面に垂直な方向から観察したときに、第２部分３２が略格子状に配列している場合、光取り出し層３０は回折格子としての役割を果たす。或いは、光取り出し層３０をその膜面に垂直な方向から観察したときに、第２部分３２が無秩序に配列している場合、光取り出し層３０は光散乱層としての役割を果たす。
【００２２】
なお、光取り出し層３０は、図１に示す構造を有していなくてもよい。例えば、光取り出し層３０は、一主面に多数の凹部又は凸部が設けられた光透過性の薄膜であってもよい。
【００２３】
光取り出し層３０上には、光透過性の第１電極４１が互いから離間して並置されている。各第１電極４１は、パッシベーション膜１８と平坦化層１９と光取り出し層３０とに設けた貫通孔を介して、ドレイン電極２１に接続されている。
【００２４】
第１電極４１は、この例では陽極である。第１電極４１の材料としては、例えば、ＩＴＯ（Indium Tin Oxide）のような透明導電性酸化物を使用することができる。
【００２５】
光取り出し層３０上には、さらに、隔壁絶縁層５０が配置されている。この隔壁絶縁層５０には、第１電極４１に対応した位置に貫通孔が設けられている。隔壁絶縁層５０は、例えば、有機絶縁層であり、フォトリソグラフィ技術を用いて形成することができる。
【００２６】
隔壁絶縁層５０の貫通孔内で露出した第１電極４１上には、発光層４２ａを含んだ有機物層４２が配置されている。発光層４２ａは、例えば、発光色が赤色、緑色、又は青色のルミネセンス性有機化合物を含んだ薄膜である。この有機物層４２は、発光層４２ａ以外の層をさらに含むことができる。例えば、有機物層４２は、第１電極４１から発光層４２ａへの正孔の注入を媒介する役割を果たすバッファ層４２ｂをさらに含むことができる。また、有機物層４２は、正孔輸送層、正孔ブロッキング層、電子輸送層、電子注入層などもさらに含むことができる。
【００２７】
隔壁絶縁層５０及び有機物層４２は、光反射性の第２電極４３で被覆されている。第２電極４３は、この例では、各画素共通に連続して設けられた陰極である。第２電極４３は、パッシベーション膜１８と平坦化層１９と光取り出し層３０と隔壁絶縁層５０とに設けられたコンタクトホール（図示せず）を介して、映像信号線と同一の層上に形成された電極配線に電気的に接続されている。それぞれの有機ＥＬ素子４０は、これら第１電極４１、有機物層４２及び第２電極４３で構成されている。
【００２８】
第２電極は、保護膜８０で被覆されている。この保護膜８０により、有機ＥＬ素子４０を封止し、水分や酸素などとの接触により有機ＥＬ素子４０が劣化するのを防止している。なお、有機ＥＬ素子４０を保護膜封止する代わりに、缶封止又はガラス封止してもよい。
【００２９】
絶縁基板１０の前面側の主面上には、第２光取り出し層９０が配置されている。光取り出し層９０は、本態様では、プリズムシートである。
【００３０】
上記の通り、この有機ＥＬ表示装置１では、光取り出し層３０を、有機ＥＬ素子４０と隣接するように配置している。このような構造を採用すると、以下に説明するように、有機ＥＬ素子４０の発光層４２ａが放出する光を、有機ＥＬ表示装置１の外部へと、より高い効率で取り出すことができる。
【００３１】
発光層４２ａが放出する光の一部は、有機ＥＬ素子４０のうち第１電極４１と有機物層４２とを含む部分，ここでは、第１電極４１と有機物層４２との積層体，内で反射又は全反射を繰り返しながら膜面方向に伝播する。すなわち、発光層４２ａが放出する光の一部は、第１電極４１と有機物層４２とからなる導波層内で反射を繰り返しながら膜面方向に伝播する。この膜面方向に伝播する光は、導波層の主面に対する入射角が大きいと、外部に取り出すことができない。
【００３２】
光取り出し層３０を有機ＥＬ素子４０と隣接して配置すると、発光層４２ａが放出する光の進行方向を変えることができる。そのため、発光層４２ａが放出する光を、有機ＥＬ素子４０の外部へと、より高い効率で取り出すことが可能となる。
【００３３】
但し、例え、有機ＥＬ素子４０からの光の取り出し効率を高めることができたとしても、この光を有機ＥＬ表示装置１の外部へと取り出すことができない限り、発光層４２ａが放出する光を有効利用することはできない。すなわち、発光層４２ａが放出する光を有効利用するためには、有機ＥＬ素子４０が放出した光が表示面と外界との界面で反射されて有機ＥＬ表示装置１の内部に閉じ込められるのを抑制しなくてはならない。
【００３４】
図１に示すように、絶縁基板１０の前面側の主面上に光取り出し層９０を配置すると、光取り出し層９０に入射した光の進行方向を変えることができる。そのため、有機ＥＬ素子４０が放出する光を、有機ＥＬ表示装置１の外部へと、より高い効率で取り出すことが可能となる。
【００３５】
このように、第１光取り出し層３０と第２光取り出し層９０とを組み合わせることにより、光の利用効率を著しく高めることができる。しかしながら、この構造を採用すると、以下に説明する表示ボケを生じてしまう。
【００３６】
図２は、図１の有機ＥＬ表示装置を簡略化して描いた図である。図３は、図２の構造の一部を拡大して示す図である。
【００３７】
図２において、参照符号１００は、有機ＥＬ素子４０と光取り出し層９０との間に介在した層を示し、参照符号９１はプリズムシートを構成しているプリズムを示している。また、図２において、有機ＥＬ素子４０は発光色が互いに等しい。
【００３８】
図３には、１つのプリズム９１のみを描いている。図３では、プリズム９１の上面側から入射した光は、表示面に対して垂直な方向に出射している。
【００３９】
図２及び図３では、簡略化のため、層１００の屈折率は均一であり、層１００とプリズム９１とは屈折率が互いに等しいことを想定している。
【００４０】
図２に示すように、発光色が互いに等しい有機ＥＬ素子４０間の最短距離Ｐが短く且つ光取り出し層９０から有機ＥＬ素子４０までの距離ｄが長い場合、発光色が同色の有機ＥＬ素子４０のうち、或る有機ＥＬ素子４０が放出する光と、これから最も近くに位置した有機ＥＬ素子４０が放出する光とは、光取り出し層９０の背面上で部分的に重なり合う。図２において、参照符号１１０は、これら光が重なり合った位置を示している。
【００４１】
光取り出し層９０は光の進行方向を変えるため、位置１１０では、或る有機ＥＬ素子４０が放出する光と、これから最も近くに位置した有機ＥＬ素子４０が放出する光とが、光取り出し層９０を同一方向に出射する可能性がある。この場合、同色の画点が位置１１０で重なり合い、その結果、表示ボケとして視認されることとなる。
【００４２】
この表示ボケは、例えば、各種数値を以下のように定めることにより、防止することができる。すなわち、光取り出し層９０に入射した光の平均屈折角θpと光取り出し層９０の平均屈折率ｎpとを用いて下記等式（１）から算出される角度θと、上記の最短距離Ｐと、上記の距離ｄとを、それらが、下記不等式（２）に示す関係を満足するように定める。
【数７】
2006100139.tif 000004
【００４３】
これら数式について、以下に詳細に説明する。  
層１００とプリズム９１との屈折率が互いに等しい場合、層１００とプリズム９１との界面に入射する光の入射角と屈折角とは、互いに等しい。図３では、これら入射角及び屈折角を、角度θで表している。
【００４４】
プリズム９１を出射する光の進行方向が表示面に対して垂直である場合、プリズム９１と外界，ここでは空気，との界面に入射した光の屈折角は、プリズム９１の頂角と等しい。図３では、これら屈折角及び頂角を、角度θpで表している。
【００４５】
プリズム９１と外界との界面に入射した光の入射角θsと屈折角θpとプリズム９１の屈折率ｎpとは、下記等式（４）で示す関係を満足している。また、屈折角θと入射角θsと頂角θpとは、下記等式（５）で示す関係を満足している。これら等式（４）及び（５）から、等式（１）を導くことができる。
【数８】
2006100139.tif 000005
【００４６】
表示ボケを防止するためには、或る有機ＥＬ素子４０が放出し且つ層１００とプリズム９１との界面に入射角θで入射する光と、これから最も近くに位置した有機ＥＬ素子４０が放出し且つ先の界面に入射角θで入射する光とが、光取り出し層９０の背面上で部分的に重なり合うのを防止すればよい。すなわち、最短距離Ｐと距離ｄと角度θとが、不等式（２）に示す関係を満足していればよい。したがって、上記のように各種数値を定めることにより、表示ボケを防止することができる。
【００４７】
例えば、平均屈折角θpが４５°、平均屈折率ｎpが１．５、最短距離Ｐが１９９μｍである場合、角度θは約５３°となり、距離ｄは約３２８μｍとなる。したがって、この場合、距離ｄを３２８μｍ以下とすれば、表示ボケを防止することができる。また、この場合、距離ｄを例えば約３００μｍ以下とすれば、光取り出し層９０の形状がばらついていたとしても、表示ボケを防止することができる。
【００４８】
なお、通常、絶縁基板１０としては、厚さが０．７ｍｍ程度のガラス基板を使用する。したがって、最短距離Ｐと距離ｄと角度θとに不等式（２）に示す関係を満足させるべく、例えば、素子形成後に基板１０の前面を研磨して、その厚さを減じてもよい。
【００４９】
次に、本発明の第２態様について説明する。  
第１態様では、光取り出し層９０としてプリズムシートを使用した。これに対し、第２態様では、光取り出し層９０として光散乱層を使用する。また、これに伴い、第２態様では、角度θを、以下の等式（３）に従って算出する。これ以外は、第２態様は、第１態様と同様である。
【数９】
2006100139.tif 000006
【００５０】
図４は、本発明の第２態様に係る有機ＥＬ表示装置を簡略化して描いた図である。図４に示す有機ＥＬ表示装置１は、光取り出し層９０として、光散乱層を使用している。この光取り出し層９０は、光透過性の第１部分９２と、これとは光学特性が異なる第２部分９３とを含んでいる。例えば、第２部分９３は、第１部分９２中で分散している。また、例えば、第１部分９２と第２部分９３とは、屈折率が異なっている。
【００５１】
本態様でも、最短距離Ｐと距離ｄと角度θとを、それらが不等式（２）に示す関係を満足するように定めることにより、表示ボケを防止することができる。
【００５２】
なお、本態様では、平均屈折率ｎpは、例えば、第１部分９２の屈折率と、第２部分９３の屈折率と、それらの体積比とから算出することができる。また、平均屈折角θpは、以下のように定義される。
【００５３】
図５は、図４の光取り出し層９０を拡大して示す断面図である。図６は、図５の光取り出し層９０を出射する光の強度の例を示すグラフである。
【００５４】
図６に示すデータは、図５に示すように、光取り出し層９０にその膜面に垂直な方向から光を照射したときに、先の膜面の法線に対して角度θを為す方向に出射する透過光の強度を示している。光強度の極大値をＰ0とすると、平均屈折角θpは、光強度がＰ0／２となる角度θとして求めることができる。
【００５５】
第１及び第２態様において、有機ＥＬ素子４０の配列形式に特に制限はない。例えば、有機ＥＬ素子４０の配列には、デルタ配列やストライプ配列を採用することができる。
【００５６】
図７は、第１及び第２態様に係る有機ＥＬ表示装置で採用可能な配列構造の一例を概略的に示す平面図である。図８は、第１及び第２態様に係る有機ＥＬ表示装置で採用可能な配列構造の他の例を概略的に示す平面図である。図７及び図８には、有機ＥＬ素子４０の配列を示しており、発光色が青、緑、赤色の有機ＥＬ素子４０には、それぞれ、参照符号Ｂ、Ｇ、Ｒを付している。
【００５７】
図７では、有機ＥＬ素子４０の配列に、デルタ配列を採用している。図８では、有機ＥＬ素子４０の配列に、ストライプ配列を採用している。図７及び図８から明らかなように、デルタ配列は、ストライプ配列と比較して、最短距離Ｐを長くするうえで有利である。
【００５８】
第１及び第２態様では、有機ＥＬ表示装置１を下面発光型としたが、有機ＥＬ表示装置１は上面発光型としてもよい。例えば、第２電極４３を光透過性にすると共に、平坦化層１９と光取り出し層３０との間に反射層を配置してもよい。この場合、有機ＥＬ素子４０は保護膜封止してもよく、或いは、ガラス封止してもよい。
【００５９】
有機ＥＬ表示装置１を上面発光型とし且つ有機ＥＬ素子４０を保護膜封止する場合、保護膜８０は光透過性とし、光取り出し層９０は保護膜８０上に配置する。この場合、光透過層である保護膜８０は、無機単層膜であってもよく、無機多層膜であってもよく、無機物層と有機物層との多層膜であってもよい。
【００６０】
他方、有機ＥＬ表示装置１を上面発光型とし且つ有機ＥＬ素子４０をガラス封止する場合、保護膜８０は必ずしも設ける必要はなく、光取り出し層９０は封止基板の前面上に配置する。
【図面の簡単な説明】
【００６１】
【図１】本発明の第１態様に係る有機ＥＬ表示装置を概略的に示す断面図。
【図２】図１の有機ＥＬ表示装置を簡略化して描いた図。
【図３】図２の構造の一部を拡大して示す図。
【図４】本発明の第２態様に係る有機ＥＬ表示装置を簡略化して描いた図。
【図５】図４の光取り出し層を拡大して示す断面図。
【図６】図５の光取り出し層を出射する光の強度の例を示すグラフ。
【図７】第１及び第２態様に係る有機ＥＬ表示装置で採用可能な配列構造の一例を概略的に示す平面図。
【図８】第１及び第２態様に係る有機ＥＬ表示装置で採用可能な配列構造の他の例を概略的に示す平面図。
【符号の説明】
【００６２】
１…有機ＥＬ表示装置、１０…絶縁基板、１２…アンダーコート層、１３…半導体層、１４…ゲート絶縁膜、１５…ゲート電極、１７…層間絶縁膜、１８…パッシベーション膜、１９…平坦化層、２０…出力制御スイッチ、２１…ソース・ドレイン電極、３０…光取り出し層、３１…第１部分、３２…第２部分、４０…有機ＥＬ素子、４１…第１電極、４２ａ…発光層、４２ｂ…バッファ層、４３…第２電極、５０…隔壁絶縁層、８０…保護膜、９０…光取り出し層、９１…プリズム、９２…第１部分、９３…第２部分、１００…層、１１０…位置。
【図１】
2006100139.tif 000012
【図２】
2006100139.tif 000013
【図３】
2006100139.tif 000014
【図４】
2006100139.tif 000015
【図５】
2006100139.tif 000016
【図６】
2006100139.tif 000017
【図７】
2006100139.tif 000018
【図８】
2006100139.tif 000019